(57)【要約】【課題】１つのサブフックで枠体の回転を防止できかつサブフックが物干し竿から外れにくい物干し具を提供する。【解決手段】洗濯物を吊す枠体１を物干し竿Ｒに掛けるメインフック２と、枠体１のメインフック２回りの回動を規制するサブフック１０とを備え、サブフック１０は、そのフック部１１が、物干し竿Ｒの軸線方向から見て、側方が開放しているＣ字形をなしている。Ｃ字形をなすフック部１１の下端部１２は、フック部１１が物干し竿Ｒに掛けられた際に、物干し竿Ｒの中心Ｒｏを通る鉛直線Ｖよりも開放部１３側に位置している。【選択図】　　　　図２
2004097666.tif 000002
【特許請求の範囲】
【請求項１】
洗濯物を吊す枠体と、この枠体を物干し竿に掛けるメインフックと、前記枠体に設けられ、前記物干し竿に掛けることにより枠体の前記メインフック回りの回動を規制するサブフックとを備えた物干し具であって、
前記サブフックは、そのフック部が、前記物干し竿の軸線方向から見て、側方が開放しているＣ字形をなしていることを特徴とする物干し具。
【請求項２】
前記Ｃ字形をなすフック部の下端部は、このフック部が前記物干し竿に掛けられた際に、物干し竿の中心を通る鉛直線よりも前記開放部側に位置していることを特徴とする請求項１記載の物干し具。
【発明の詳細な説明】
【０００１】
【発明の属する技術分野】
本発明は、物干し具に関するものである。
【０００２】
【従来の技術】
従来の物干し具として、洗濯物を吊す枠体と、この枠体を物干し竿に掛けるメインフックと、前記枠体に設けられ、前記物干し竿に掛けることにより枠体の前記メインフック回りの回動を規制するサブフックとを備えたものが知られている（例えば、特許文献１参照）。
また、メインフックの両側にサブフックを２つ備えたものも知られている（例えば、特許文献２参照）
このような物干し具によれば、枠体がメインフックの回りに回転してしまうということを防止することができる。
【０００３】
【特許文献１】
実開昭６１−２６４９５号公報（第３−４頁、第２図）
【特許文献２】
特開２００２−９３６９２号公報（第００４２−００４５段落、図８）
【０００４】
【発明が解決しようとする課題】
上記特許文献１の物干し具におけるサブフックは、そのフック部が、物干し竿の軸線方向から見て、下方が開放している逆Ｕ字形をなしていた。
このため、物干し具が風で煽られる等して、枠体に対し、サブフックが設けられている側が持ち上げられるような力（サブフックが設けられている側と反対側が引き下げられるような力）が作用すると、サブフックが物干し竿から外れやすいという問題があった。
このような問題は、上記特許文献２に見られるように、メインフックの両側にサブフックを２つ設けることによって解決することができるが、この場合には、２つのサブフックを物干し竿に掛けなければならず、その作業が面倒であるという問題があった。
【０００５】
この発明の目的は、以上のような問題を解決し、１つのサブフックで枠体の回転を防止でき、かつ、サブフックが物干し竿から外れにくい物干し具を提供することにある。
【０００６】
【課題を解決するための手段】
上記目的を達成するために請求項１記載の物干し具は、洗濯物を吊す枠体と、この枠体を物干し竿に掛けるメインフックと、前記枠体に設けられ、前記物干し竿に掛けることにより枠体の前記メインフック回りの回動を規制するサブフックとを備えた物干し具であって、
前記サブフックは、そのフック部が、前記物干し竿の軸線方向から見て、側方が開放しているＣ字形をなしていることを特徴とする。
請求項２記載の物干し具は、請求項１記載の物干し具において、前記Ｃ字形をなすフック部の下端部は、このフック部が前記物干し竿に掛けられた際に、物干し竿の中心を通る鉛直線よりも前記開放部側に位置していることを特徴とする。
【０００７】
【作用効果】
請求項１記載の物干し具は、洗濯物を吊す枠体と、この枠体を物干し竿に掛けるメインフックと、前記枠体に設けられ、前記物干し竿に掛けることにより枠体の前記メインフック回りの回動を規制するサブフックとを備えているので、メインフックとサブフックとを物干し竿に掛けることによって、メインフック回りの枠体の回転が防止される。
そして、サブフックは、そのフック部が、前記物干し竿の軸線方向から見て、側方が開放するＣ字形をなしているので、物干し具が風で煽られる等して、枠体に対し、サブフックが設けられている側が持ち上げられるような力（サブフックが設けられている側と反対側が引き下げられるような力）が作用しても、サブフックが物干し竿から外れにくくなる。
しかも、サブフックは１つだけ設ければよいので、２つのサブフックを物干し竿に掛けるという手間も不要となる。
請求項２記載の物干し具によれば、請求項１記載の物干し具において、前記Ｃ字形をなすフック部の下端部は、このフック部が前記物干し竿に掛けられた際に、物干し竿の中心を通る鉛直線よりも前記開放部側に位置しているので、より確実にサブフックが物干し竿から外れにくくなる。
【０００８】
【発明の実施の形態】
以下、本発明の実施の形態について図面を参照して説明する。
図１は本発明に係る物干し具の一実施の形態を示す概略図で、（ａ）は平面図、（ｂ）は正面図である。
この物干し具は、洗濯物Ａを吊す枠体１と、この枠体１を物干し竿Ｒに掛けるメインフック２と、枠体１に設けられ、物干し竿Ｒに掛けることにより枠体１のメインフック２回りの回動を規制するサブフック１０とを備えている。
枠体１には複数のピンチ３が設けられており、このピンチ３で洗濯物Ａを挟んで吊す。
枠体１とメインフック２とは連結部材４で連結されている。
【０００９】
図２はサブフック１０を示す図で、（ａ）正面図、（ｂ）は側面図である。
サブフック１０は、その下端部１０ａを枠体１に設けられた穴１ａに嵌め込むことによって、枠体１に連結されている。
サブフック１０は、図（ｂ）に示すように、そのフック１１部が、物干し竿Ｒの軸線方向から見て、側方（図（ｂ）においては左方）が開放しているＣ字形をなしている。開放部を符号１３で示す。
Ｃ字形をなすフック部１１の下端部１２は、このフック部１１が物干し竿Ｒに掛けられた際に、物干し竿Ｒの中心Ｒｏを通る鉛直線Ｖよりも前記開放部１３側に位置している。
また、Ｃ字形をなすフック部１１の上端部１４は、フック部１１を物干し竿Ｒに掛けやすいように外側に屈曲しているが、その内側には、僅かに内方に隆起している突部１５が形成されており、この突部１５によって、フック部１１が物干し竿Ｒから抜けにくいようになっている。
【００１０】
以上のような物干し具は、洗濯物Ａを吊す枠体１と、この枠体１を物干し竿Ｒに掛けるメインフック２と、枠体１に設けられ、物干し竿Ｒに掛けることにより枠体１のメインフック２回りの回動を規制するサブフック１０とを備えているので、図１（ｂ）に示すようにメインフック２とサブフック１０とを物干し竿Ｒに掛けることによって、メインフック２回りの枠体１の回転（図１（ａ）における矢印ａ方向の回転）が防止される。
そして、サブフック１０は、そのフック部１１が、物干し竿Ｒの軸線方向から見て、側方が開放するＣ字形をなしているので、物干し具が風で煽られる等して、枠体１に対し、図２（ｂ）に示すように、サブフック１０が設けられている側が持ち上げられるような力Ｆ（サブフック１０が設けられている側と反対側Ｌ（図１（ｂ）参照）が引き下げられるような力）が作用しても、サブフック１０が物干し竿Ｒから外れにくくなる。
しかも、サブフック１０は１つだけ設ければよいので、２つのサブフックを物干し竿に掛けるという手間も不要となる。
また、Ｃ字形をなすフック部１１の下端部１２は、このフック部１１が物干し竿Ｒに掛けられた際に、物干し竿Ｒの中心Ｒｏを通る鉛直線Ｖよりも開放部１３側に位置しているので、より確実にサブフック１０が物干し竿Ｒから外れにくくなる。
また、同時に、Ｃ字形をなすフック部１１の上端部１４の内側には、内方に隆起している突部１５が形成されているので、サブフック１０は、物干し竿Ｒから側方にも外れにくい。
【００１１】
以上、本発明の実施の形態について説明したが、本発明は上記の実施の形態に限定されるものではなく、本発明の要旨の範囲内において適宜変形実施可能である。
【００１２】
【図面の簡単な説明】
【図１】本発明に係る物干し具の一実施の形態を示す概略図で、（ａ）は平面図、（ｂ）は正面図である。
【図２】サブフック１０を示す図で、（ａ）正面図、（ｂ）は側面図。
【符号の説明】
Ａ　　洗濯物
Ｒ　　物干し竿
１　　枠体
２　　メインフック
１０　　サブフック
１１　　フック部
１２　　下端部
１３　　開放部
【図１】
2004097666.tif 000003
【図２】
2004097666.tif 000004